(57)【要約】【課題】溶液利用人工授粉に使用されて目詰まりし難く花粉体破損が少なく従来の乾燥花粉体人工授粉に比べ少量の花粉で良い結果が得られる花粉体噴霧器を提供することである。【解決手段】この発明の花粉体噴霧器１０は、花粉体を含む保存溶液１２を収容した容器１４と、手動レバー２０により駆動されて容器１４中の保存溶液を吸引管１８を介して吸引し加圧して加圧保存溶液を容器外へ移動させる手動操作加圧構造体１６と、吸引管の外端１８ｂに接続されて加圧保存溶液をノズル孔２８から噴霧するノズル構造体３０と、を備え、ノズル孔直径が１．０ｍｍ〜１．４ｍｍの範囲内に、加圧保存溶液圧力が０．２Ｍｐａ〜０．１ＭＰａの範囲内に設定されている、ことを特徴とする。【選択図】    図１
2012157817.tif 000002
【特許請求の範囲】
【請求項１】
花粉体を含む花粉体保存溶液を収容した収容空間及び収容空間を外部に連通させる開口を有する容器と；
前記収容空間中に配置される内端及び前記開口を介し容器の外部に延出された外端を有する吸引管，手動レバー，そして手動レバーにより駆動されて前記花粉体保存溶液を前記吸引管の内端から吸引し加圧して前記吸引管の外端へと加圧された花粉体保存溶液を移動させる加圧ポンプを伴う、手動操作加圧構造体と；そして、
前記吸引管の外端に接続され、前記吸引管の外端に到達した加圧された花粉体保存溶液を所望の範囲に噴霧するノズル孔を含むノズル構造体と、を備えており、
ノズル孔の直径が１．０ｍｍ〜１．４ｍｍの範囲内に設定されているとともに、前記加圧された花粉体保存溶液の圧力が０．２Ｍｐａ〜０．１ＭＰａの範囲内に設定されている、
ことを特徴とする花粉体噴霧器。
【請求項２】
前記ノズル構造体は、前記吸引管の外端に到達した加圧された花粉体保存溶液を前記ノズル孔まで旋回した状態で導く溶液旋回構造を含んでいる、
ことを特徴とする請求項１に記載の花粉体噴霧器。
【請求項３】
前記ノズル構造体の溶液旋回構造は：
外周面と、前記吸引管の外端からの加圧された花粉体保存溶液が流入される有底流入孔と、有底流入孔から有底流入孔の半径方向の外方に向かい延出し前記外周面に開口した複数の半径方向案内孔と、有底流入孔の底壁の外端に形成された第１有底円形凹所と、有底流入孔の底壁の外端に第１有底円形凹所と同心的に形成され第１有底円形凹所よりも小さな直径と大きな深さとを有した第２有底円形凹所と、有底流入孔の底壁の外端に形成され第２有底円形凹所の内周面から前記外周面まで第２有底円形凹所の内周面の接線方向に第１有底円形凹所の底面を横切って延出した複数の接線溝と、を含むノズル基部と；そして、
ノズル基部の前記外周面及び前記外端に被せられる内周面及び内底面を有しており、前記内周面が前記外周面における前記複数の半径方向案内孔の開口と前記複数の接線溝の開口との間に対応した部位に加花粉体保存溶液流通隙間を提供しているとともに前記内底面に前記ノズル孔が形成されている、ノズルキャップと；
を備えていることを特徴とする請求項２に記載の花粉体噴霧器。
【請求項４】
前記手動操作加圧構造体の前記吸引管の外端と前記ノズル構造体の前記ノズル基部の前記有底流入孔との間に介在され前記吸引管の外端から前記ノズル基部の前記有底流入孔まで前記加圧された花粉体保存溶液を案内する延出管を更に備えていることを特徴とする請求項１乃至３のいずれか１項に記載の花粉体噴霧器。
【請求項５】
前記延出管は、前記手動操作加圧構造体に着脱可能に接続され前記延出管の外周面を提供する外周面を有する管状の鞘部と、前記鞘部の内孔に着脱可能に装着され前記手動操作加圧構造体の吸引管の外端から延出し前記外端からの加圧された花粉体保存溶液を前記鞘部の延出端まで案内する管状の芯部と、を含んでいる、
ことを特徴とする請求項４に記載の花粉体噴霧器。
【請求項６】
前記延出管において前記ノズル構造体の側の部位は、前記延出管の前記ノズル構造体の側の部位以外の部位に対し所定の角度で傾斜されている、
ことを特徴とする請求項４又は５に記載の花粉体噴霧器。
【発明の詳細な説明】
【技術分野】
【０００１】
この発明は、花粉体用噴霧器に関係している。
【背景技術】
【０００２】
以下の文章において用語「花粉体」は、花粉学で扱う花粉，胞子、そして微生物又は大型生物の顕微鏡的断片を含む。
【０００３】
「花粉体」を使用する分野においては、高価な「花粉体」を出来る限り有効に使用することが求められている。例えば、りんごや梨などの果樹園では、人工授粉が広く行なわれている。従来の人工授粉では、蜂などの昆虫を利用したり、或いは梵天を使用して多数の人員により行なわれている。しかしながら、昆虫を利用した人工授粉では、昆虫の管理が煩雑であり、また天候に左右され易いという問題がある。また多数の人員を使用した人工授粉では、開花時期に合わせて多数の人員を確保することが難しくて人件費も高く、またやはり天候に左右され易いという問題がある。梵天を使用した多数の人員により人工授粉を行なう代わりに、梵天を使用した多数の人員よりも遥かに少ない人員で花粉を粉体状のまま動力噴霧器で噴霧する方法もあるが、柱頭への花粉付着率を良くし良好な果実を高い確率で得るようにするには高価な花粉の使用量が飛躍的に増大するという問題がある。
【０００４】
近年では、花粉を花粉保存溶液に混ぜた後にこの溶液ととともに花粉を噴霧器で個々の柱頭に対し噴霧することにより人工授粉を行なわせる技術が開発され種々の試験が行なわれている。そして現在の試験結果では、少し位の雨では受粉率が低下せず、花粉を粉体状のまま動力噴霧器で噴霧する方法に比べると、遥かに少ない花粉量で良好な果実をより効率良く得ることが出来ることが分かっています。
【発明の概要】
【発明が解決しようとする課題】
【０００５】
しかしながら、従来の噴霧器を使用して溶液を利用した人工授粉を行なうと、噴霧器に目詰まりが生じやすくて目詰まり除去のために人工授粉作業の効率が低下し、また噴霧ノズル中の高い圧力により溶液中に混ぜられている花粉が破損し易く、昆虫を利用した人工授粉や梵天を使用した多数の人員による人工授粉に比べると、良好な果実を得られる割合が少し低くなっています。また花粉の破損を無くすために噴霧圧力を低下させると、個々の柱頭当たりに使用される高価な花粉の噴霧量が多くなったり、噴霧ノズルからの液だれ、即ち高価な花粉の無駄、が生じてしまうという問題がある。
【０００６】
この発明は上記事情の下でなされ、この発明の目的は、花粉体の破損が少なく、溶液を利用した人工授粉のために使用された場合でも目詰まりが生じにくく、従来の花粉を粉体状のまま人工授粉させる場合に比べてより少ない花粉量で良好な所望の結果を得ることが出来る、花粉体噴霧器を提供することである。
【課題を解決するための手段】
【０００７】
上述したこの発明の目的を達成する為に、この発明に従った花粉体噴霧器は：花粉体を含む花粉体保存溶液を収容した収容空間及び収容空間を外部に連通させる開口を有する容器と；前記収容空間中に配置される内端及び前記開口を介し容器の外部に延出された外端を有する吸引管，手動レバー，そして手動レバーにより駆動されて前記吸引管の内端から前記花粉体保存溶液を吸引し加圧して前記吸引管の外端へと加圧された花粉体保存溶液を移動させる加圧ポンプを伴う、手動操作加圧構造体と；そして、前記吸引管の外端に接続され、前記吸引管の外端に到達した加圧された花粉体保存溶液を所望の範囲に噴霧するノズル孔を含むノズル構造体と、を備えている。
【０００８】
そしてノズル孔の直径が１．０ｍｍ〜１．４ｍｍの範囲内に設定されているとともに、前記加圧された花粉体保存溶液の圧力が０．２Ｍｐａ〜０．１ＭＰａの範囲内に設定されている、ことを特徴としている。
【発明の効果】
【０００９】
前述した如く構成されたことを特徴とするこの発明に従った花粉体噴霧器は、花粉体の破損が少なく、溶液を利用した人工授粉のために使用されても目詰まりが生じにくく、従来の花粉を粉体状のまま人工授粉させる場合に比べてより少ない花粉量で良好な所望の結果を得ることが出来る。
【図面の簡単な説明】
【００１０】
【図１】図１は、この発明の第１実施形態に従った花粉体噴霧器の全体の概略的な縦断面図である。
【図２】図２は、図１の花粉体噴霧器のノズル構造体の概略的な縦断面図である。
【図３】図３は、図２のノズル構造体の断面線ＩＩＩ−ＩＩＩに沿った概略的な横断面図である。
【図４】図４は、この発明の第２実施形態に従った花粉体噴霧器の全体の概略的な縦断面図である。
【図５】図５は、この発明の第３実施形態に従った花粉体噴霧器の全体の概略的な縦断面図である。
【図６】図６は、図５の花粉体噴霧器のノズル構造体の概略的な縦断面図である。
【図７】図７は、この発明の第４実施形態に従った花粉体噴霧器を一部縦断面にして概略的に示す側面図である。
【発明を実施するための形態】
【００１１】
［第１実施形態］
最初に図１乃至図３を参照してこの発明の第１実施形態に従った花粉体噴霧器１０について説明する。
【００１２】
花粉体噴霧器１０は、花粉体を含む花粉体保存溶液１２を収容した収容空間１４ａ及び収容空間１４ａを外部に連通させる開口１４ｂを有する容器１４を備えている。容器１４は合成樹脂製である。
【００１３】
この実施形態において花粉体は、例えばりんごや梨や桃や柿やキウイフルーツの如き果実の花粉であり、花粉体保存溶液１２はこれらの花粉を少なくとも所定の時間損傷させることなく保存可能な成分を有しており、種々の花粉に応じて種々の成分を有した花粉体保存溶液１２が知られている。
【００１４】
容器１４の開口１４ｂには、手動操作加圧構造体１６が着脱可能に取り付けられている。手動操作加圧構造体１６は、収容空間１４ａ中に配置される内端１８ａ及び開口１４ｂを介し容器１４の外部に延出された外端１８ｂを有する吸引管１８，手動レバー２０，そして手動レバー２０により駆動されて吸引管１８の内端１８ｂから花粉体保存溶液１２を吸引し加圧して吸引管１８の外端１８ｂへと加圧された花粉体保存溶液１２を移動させる加圧ポンプ２２を伴う。
【００１５】
手動レバー２０は、加圧ポンプ２２の動作方向において図１中に図示されている展開位置と展開位置よりも容器１４の開口１４ｂに向かい移動した引き締め位置との間で移動可能であり、加圧ポンプ２２中に組み込まれている付勢部材２２ａ、この実施形態では圧縮コイルばね、により展開位置に付勢されている。
【００１６】
加圧ポンプ２２は、手動レバー２０が引き締め位置から展開位置へと付勢部材２２ａの付勢力により移動されることにより吸引管１８の内端１８ｂから花粉体保存溶液１２を吸引し、手動レバー２０が操作者の手の指により展開位置から引き締め位置へと付勢部材２２ａの付勢力に抗して移動されることにより前述した如く吸引された花粉体保存溶液１２を加圧する。
【００１７】
吸引管１８において加圧ポンプ２２の直前には、加圧ポンプ２２により吸引管１８の内端１８ａから吸引され加圧された花粉体保存溶液１２が吸引管１８の内端１８ａへと戻ってしまうのを阻止する為の逆止弁２４が配置されている。
【００１８】
吸引管１８の外端１８ｂには、ノズル逆止弁２６を介してノズル孔２８を含むノズル構造体３０が接続されている。ノズル逆止弁２６はノズル構造体３０との間に介在された付勢部材３２、この実施形態では圧縮コイルばね、により吸引管１８の外端１８ｂを塞ぐ方向に付勢されていて、加圧ポンプ２２により加圧され吸引管１８の外端１８ｂに到達した花粉体保存溶液１２をノズル構造体３０のノズル孔２８に向かい通過させる。
【００１９】
ノズル孔２８は吸引管１８の外端１８ｂからの加圧された花粉体保存溶液１２を所望の範囲に噴霧する。
【００２０】
ノズル逆止弁２６は吸引管１８の外端１８ｂをノズル構造体３０のノズル孔２８に向かい通過した後の花粉体保存溶液１２が吸引管１８の外端１８ｂに向かい逆流することを阻止している。
【００２１】
この実施形態の手動操作加圧構造体１６では、吸引管１８において加圧ポンプ２２の直前の逆止弁２４の弁体，加圧ポンプ２２の付勢部材２２ａ，そしてノズル逆止弁２６の付勢部材３２が花粉体保存溶液１２を変質させることのない金属製であり、これら以外の手動操作加圧構造体１６の構成要素は合成樹脂製である。
【００２２】
ノズル構造体３０は、吸引管１８の外端１８ｂに到達した加圧された花粉体保存溶液１２をノズル孔２８まで旋回した状態で導く溶液旋回構造を含んでいる。
【００２３】
ノズル構造体３０は、図２及び図３中に図示されている如く、有底筒状のノズル基部３４と、ノズル基部３４の外周面及び底壁の外端に被せられる内周面及び内底面を有しているノズルキャップ３６と、を備えている。この実施形態において、ノズル基部３４及びノズルキャップ３６の夫々は合成樹脂製である。しかしながら、ノズル構造体３０は、花粉体保存溶液１２を変質させないのであれば金属製であることも出来る。
【００２４】
詳細にはノズル基部３４は、手動操作加圧構造体１６において吸引管１８の外端１８ｂに隣接して形成されているノズル逆止弁収容凹所１６ａ中に、吸引管１８の外端１８ｂとは反対に底壁を向けた状態で格納されていて、吸引管１８の外端１８ｂからの加圧された花粉体保存溶液１２が流入される有底流入孔３４ａと、有底流入孔３４ａから有底流入孔３４ａの半径方向の外方に向かい延出しノズル基部３４の外周面に開口した複数の半径方向案内孔３４ｂと、を含んでいる。ノズル基部３４の底壁及び外周面において複数の半径方向案内孔３４ｂが開口している部位は、ノズル逆止弁収容凹所１６ａから外方に露出している。複数の半径方向案内孔３４ｂは、ノズル基部３４の円周方向に等間隔で配置されていることが好ましい。
【００２５】
ノズル逆止弁収容凹所１６ａ中に格納されているノズル基部３４の有底流入孔３４ａには、付勢部材３２と組み合わされたノズル逆止弁２６が収納されている。ノズル逆止弁２６は吸引管１８の外端１８ｂに隣接して配置され、付勢部材３２はノズル逆止弁２６とノズル基部３４の底壁との間に介在されてノズル逆止弁２６を吸引管１８の外端１８ｂ上に付勢している。
【００２６】
ノズル基部３４の有底流入孔３４ａの底壁の外端には、第１有底円形凹所３４ｃと、第１有底円形凹所３４ｃと同心的に形成され第１有底円形凹所３４ｃよりも小さな直径と大きな深さとを有した第２有底円形凹所３４ｄと、第２有底円形凹所３４ｄの内周面からノズル基部３４の外周面まで第２有底円形凹所３４ｄの内周面の接線方向に第１有底円形凹所３４ｃの底面を横切って延出した複数の接線溝３４ｅと、が形成されている。複数の接線溝３４ｅは、ノズル基部３４の円周方向に等間隔で配置されていることが好ましい。
【００２７】
ノズルキャップ３６は、手動操作加圧構造体１６の外表面においてノズル逆止弁収容凹所１６ａを取り囲んでいる部位に、例えばＯ−リングの如き密封部材３８を伴い例えば螺合により着脱可能に固定されている。そして、ノズルキャップ３６においてノズル基部３４の外周面に被せられている内周面においてノズル基部３４の外周面における複数の半径方向案内孔３４ｂの開口と複数の接線溝３４ｅの開口との間に対応した部位に花粉体保存溶液流通隙間Ｇを提供している。
【００２８】
ノズルキャップ３６においてノズル基部３４の低壁の外端に被せられている内底面は、上記低壁の外端において第１有底円形凹所３４ｃを取り囲んでいる取り囲み部分３４ｆに当接されていて、前記内底面において第２有底円形凹所３４ｄに面した部位にノズル孔２８が形成されている。この実施形態においてノズル孔２８は、前記内底面における開口の直径が第２有底円形凹所３４ｄの直径に略等しく、前記内底面からノズルキャップ３６の外端に接近するにつれて直径が小さくなるテーパ状にされていて、前記外端近傍では直径が変化しない。
【００２９】
従って、この実施形態のノズル構造体３０においては、手動操作加圧構造体１６の吸引管１８の外端１８ｂからノズル逆止弁２６を介してノズル基部３４の有底流入孔３４ａに流入した加圧された花粉体保存溶液１２は、有底流入孔３４ａからノズル基部３４の複数の半径方向案内孔３４ｂを介してノズルキャップ３６の内周面の花粉体保存溶液流通隙間Ｇ中に流入し、次に花粉体保存溶液流通隙間Ｇからノズル基部３４の底壁の外端の複数の接線溝３４ｅを介して第２有底円形凹所３４ｄ中にその内周面の接線方向から流入されることにより旋回させられる。そして、旋回された花粉体保存溶液１２は、ノズルキャップ３６の前記内底面において第２有底円形凹所３４ｄに面した部位のノズル孔２８から所定の範囲に噴霧される。
【００３０】
この実施形態では、ノズル孔２８において前述した如く直径が変化しない部位の直径Ｄが１．０ｍｍ〜１．４ｍｍの範囲内に設定されているとともに、加圧された花粉体保存溶液１２の圧力が０．２Ｍｐａ〜０．１ＭＰａの範囲内に設定されている。直径Ｄの範囲を１．２ｍｍ〜１．４ｍｍの範囲内とし、加圧された花粉体保存溶液１２の圧力を０．１５Ｍｐａ〜０．１ＭＰａの範囲内に設定することも出来る。詳細には、直径Ｄが１．０ｍｍ，１．２ｍｍ，そして１．４ｍｍの場合には、加圧された花粉体保存溶液１２の圧力が０．２Ｍｐａ，０．１５Ｍｐａ，そして０．１ＭＰａとなるよう設定されている。これらの直径Ｄ及び加圧された花粉体保存溶液１２の圧力は、花粉体保存溶液１２に含まれる花粉体の種類や花粉体保存溶液１２の成分による例えば発芽率に関係する花粉体の損傷の程度や液垂れを生じない噴霧の具合により上述した範囲内で選択される。
【００３１】
このような花粉体保存溶液１２の圧力であると花粉体保存溶液１２に含まれている花粉体の損傷が少なく、またこのようなノズル孔２８の直径であると花粉体を含む花粉体保存溶液１２をノズル孔２８からの液垂れを生じさせることなく目標とする花粉体受容体、果樹の場合には目的とする花の柱頭、に向かい噴霧することが可能である。
【００３２】
しかも、この実施形態では、第２有底円形凹所３４ｄよりも浅く直径の大きな第１有底円形凹所３４ｃは、旋回された花粉体保存溶液１２中の花粉体の撹拌を促進させ、またノズル孔２８の直前における花粉体保存溶液１２の圧力を緩和させている。この結果として、花粉体の破損をさらに少なくでき、また溶液を利用した人工授粉のために使用されても目詰まりをさらに生じにくくしている。さらに、花粉体保存溶液１が旋回された状態でノズル孔２８から噴霧されることで所定の噴霧範囲中により均等により噴霧することが出来る。即ち、従来の花粉を粉体状のまま人工授粉させる場合に比べてさらに少ない花粉量で良好な所望の結果を得ることを可能にしている。
【００３３】
そして、この実施形態において、ノズル基部３４の前記底壁の外端の第１有底円形凹所３４ｃ，第２有底円形凹所３４ｄ，そして複数の接線溝３４ｅは前述した溶液旋回構造を提供している。
【００３４】
［第２実施形態］
次に図４を参照してこの発明の第２実施形態に従った花粉体噴霧器４０について説明する。第２実施形態に従った花粉体噴霧器４０において図１乃至図３を参照しながら前述したこの発明の第１実施形態に従った花粉体噴霧器１０の構成部材と同じ構成部材には同じ参照符号を付して詳細な説明は省略する。
【００３５】
第２実施形態に従った花粉体噴霧器４０が第１実施形態に従った花粉体噴霧器１０と異なっているのは、手動操作加圧構造体１６の吸引管１８の外端１８ｂとノズル構造体３０のノズル基部３４´の有底流入孔３４ａとの間に介在された延出管４２を更に備えていることである。この実施形態において延出管４２は合成樹脂製であるが、花粉体保存溶液１２を変質させない限り金属製とすることも出来る。
【００３６】
詳細には、手動操作加圧構造体１６において吸引管１８の外端１８ｂに隣接して形成されているノズル逆止弁収容凹所１６ａには、付勢部材３２と組み合わされたノズル逆止弁２６を収容した有底筒状の逆止弁収容体４４が吸引管１８の外端１８ｂとは反対に底壁を向けた状態で格納されている。ノズル逆止弁２６は吸引管１８の外端１８ｂに隣接して配置され、付勢部材３２はノズル逆止弁２６と逆止弁収容体４４の底壁との間に介在されてノズル逆止弁２６を吸引管１８の外端１８ｂ上に付勢している。逆止弁収容体４４の底壁には、花粉体保存溶液流出口が形成されている。
【００３７】
延出管４２の基端部は、手動操作加圧構造体１６の外表面において吸引管１８の外端１８ｂを取り囲んでいる部位に例えばＯ−リングの如き密封部材４６を介して例えば螺合により着脱可能に取り付けられている。延出管４２の内孔の基端部は、逆止弁収容体４４をノズル逆止弁収容凹所１６ａ中に保持している。
【００３８】
延出管４２の延出端部は、ノズル構造体３０の有底筒状のノズル基部３４´を提供しており、延出管４２の内孔の延出端部がノズル基部３４´の有底流入孔３４ａ及び複数の半径方向案内孔３４ｂを提供している。延出管４２の内孔の延出端部の底壁、即ちノズル基部３４´の底壁、の外端には、図３中に図示されているのと同様な、ノズル基部３４´の前記底壁の外端の第１有底円形凹所３４ｃ，第２有底円形凹所３４ｄ，そして複数の接線溝３４ｅを含む前述した溶液旋回構造が形成されている。
【００３９】
ノズルキャップ３６は、延出管４２の延出端部、即ちノズル基部３４´、の外周面、に、例えばＯ−リングの如き密封部材３８を伴い例えば螺合により着脱可能に固定されている。そして、ノズルキャップ３６においてノズル基部３４´の外周面に被せられている内周面においてノズル基部３４´の外周面における複数の半径方向案内孔３４ｂの開口と複数の接線溝３４ｅ（図３参照）の開口との間に対応した部位に花粉体保存溶液流通隙間Ｇを提供している。
【００４０】
従って、この実施形態のノズル構造体３０においても、手動操作加圧構造体１６の吸引管１８の外端１８ｂからノズル逆止弁２６及び延出管４２の内孔を介してノズル基部３４´の有底流入孔３４ａに流入した加圧された花粉体保存溶液１２は、図１乃至図３を参照しながら前述した第１実施形態のノズル構造体３０の場合と同様に、前述した溶液旋回構造により旋回された後にノズルキャップ３６のノズル孔２８から所定の範囲に噴霧される。
【００４１】
この実施形態でも、ノズル孔２８において前述した如く直径が変化しない部位の直径Ｄが１．０ｍｍ〜１．４ｍｍの範囲内に設定されているとともに、加圧された花粉体保存溶液１２の圧力が０．２Ｍｐａ〜０．１ＭＰａの範囲内に設定されている。直径Ｄの範囲を１．２ｍｍ〜１．４ｍｍの範囲内とし、加圧された花粉体保存溶液１２の圧力を０．１５Ｍｐａ〜０．１ＭＰａの範囲内に設定することも出来る。詳細には、直径Ｄが１．０ｍｍ，１．２ｍｍ，そして１．４ｍｍの場合には、加圧された花粉体保存溶液１２の圧力が０．２Ｍｐａ，０．１５Ｍｐａ，そして０．１ＭＰａとなるよう設定されている。これらの直径Ｄ及び加圧された花粉体保存溶液１２の圧力は、花粉体保存溶液１２に含まれる花粉体の種類や花粉体保存溶液１２の成分による例えば発芽率に関係する花粉体の損傷の程度や液垂れを生じない噴霧の具合により上述した範囲内で選択される。
【００４２】
従って、この実施形態に従った花粉体噴霧器４０は、図１乃至図３を参照しながら前述した第１実施形態の花粉体噴霧器１０と同じ技術的な利点を得ることが出来る。
【００４３】
［第３実施形態］
次に図５及び図６を参照してこの発明の第３実施形態に従った花粉体噴霧器５０について説明する。第３実施形態に従った花粉体噴霧器５０において図１乃至図３を参照しながら前述したこの発明の第１実施形態に従った花粉体噴霧器１０の構成部材と同じ構成部材及び図４を参照しながら前述したこの発明の第２実施形態に従った花粉体噴霧器４０の構成部材と同じ構成部材には同じ参照符号を付して詳細な説明は省略する。
【００４４】
第３実施形態に従った花粉体噴霧器５０が第１実施形態に従った花粉体噴霧器１０と異なっているのは、手動操作加圧構造体１６の吸引管１８の外端１８ｂとノズル構造体３０のノズル基部３４の有底流入孔３４ａとの間に介在された延出管５２を更に備えていることである。この実施形態において延出管５２は合成樹脂製であるが、花粉体保存溶液１２を変質させない限り金属製とすることも出来る。
【００４５】
この実施形態の延出管５２が、図４を参照しながら前述した第２実施形態の花粉体噴霧器４０の延出管４２と異なっているのは、延出管５２においてノズル構造体３０の側の部位（延出端部位）が、延出管５２のノズル構造体３０の側の部位（延出端部位）以外の部位（中間部位及び基端部位）に対し所定の角度で傾斜されていることである。
【００４６】
この実施形態の延出管５２はさらに、手動操作加圧構造体１６に基端部位が着脱可能に接続されていて延出管５２の外周面を提供する外周面を有する管状の鞘部５２ａと、鞘部５２ａの内孔に着脱可能に装着され手動操作加圧構造体１６の吸引管１８の外端１８ｂから延出し外端１８ｂからの加圧された花粉体保存溶液１２を鞘部５２ａの延出端まで案内する管状の芯部５２ｂと、を含んでいる。
【００４７】
鞘部５２ａと芯部５２ｂとの組み合わせは、延出管５２の強度の保持と軽量化とを両立させる。芯部５２ｂはその長手方向に沿い複数に分割、この実施形態では２分割、出来るよう構成することが出来、芯部５２ｂの中心孔の横断面を任意の寸法及び形状にすることを容易にする。
【００４８】
詳細には、延出管５２の鞘部５２ａの基端部は、手動操作加圧構造体１６の外表面において吸引管１８の外端１８ｂを取り囲んでいる部位に例えばＯ−リングの如き密封部材４６を介して例えば螺合により着脱可能に取り付けられている。延出管５２の芯部５２ｂの基端は、逆止弁収容体４４をノズル逆止弁収容凹所１６ａ中に保持している。
【００４９】
延出管５２の鞘部５２ａの延出端部には、図６中に示されている如く、ノズル構造体３０の有底筒状のノズル基部３４´´を収容するノズル基部収容凹所５２ｃが形成されていて、ノズル基部収容凹所５２ｃにはノズル基部３４´´が延出管５２の鞘部５２ａの延出端部とは反対に底壁を向けた状態で格納されていて、ノズル基部３４´´の底壁及び外周面において複数の半径方向案内孔３４ｂが開口している部位は、ノズル基部収容凹所５２ｃから外方に露出している。ノズル基部３４´´の有底流入孔３４ａの底壁の外端には、図３中に図示されているのと同様な、第１有底円形凹所３４ｃ，第２有底円形凹所３４ｄ，そして複数の接線溝３４ｅを含む前述した溶液旋回構造が形成されている。
【００５０】
ノズルキャップ３６は、延出管５２の鞘部５２ａの延出端部の外周面においてノズル基部収容凹所５２ｃを取り囲んでいる部位に、例えばＯ−リングの如き密封部材３８を伴い例えば螺合により着脱可能に固定されている。そして、ノズルキャップ３６においてノズル基部３４´´の外周面に被せられている内周面においてノズル基部３４´´の外周面における複数の半径方向案内孔３４ｂの開口と複数の接線溝３４ｅ（図３参照）の開口との間に対応した部位に花粉体保存溶液流通隙間Ｇを提供している。
【００５１】
従って、この実施形態のノズル構造体３０においても、手動操作加圧構造体１６の吸引管１８の外端１８ｂからノズル逆止弁２６及び延出管５２の芯部５２ｂの内孔を介してノズル基部３４´´の有底流入孔３４ａに流入した加圧された花粉体保存溶液１２は、図１乃至図３を参照しながら前述した第１実施形態のノズル構造体３０の場合と同様に、前述した溶液旋回構造により旋回された後にノズルキャップ３６のノズル孔２８から所定の範囲に噴霧される。
【００５２】
この実施形態でも、ノズル孔２８において前述した如く直径が変化しない部位の直径Ｄが１．０ｍｍ〜１．４ｍｍの範囲内に設定されているとともに、加圧された花粉体保存溶液１２の圧力が０．２Ｍｐａ〜０．１ＭＰａの範囲内に設定されている。直径Ｄの範囲を１．２ｍｍ〜１．４ｍｍの範囲内とし、加圧された花粉体保存溶液１２の圧力を０．１５Ｍｐａ〜０．１ＭＰａの範囲内に設定することも出来る。詳細には、直径Ｄが１．０ｍｍ，１．２ｍｍ，そして１．４ｍｍの場合には、加圧された花粉体保存溶液１２の圧力が０．２Ｍｐａ，０．１５Ｍｐａ，そして０．１ＭＰａとなるよう設定されている。これらの直径Ｄ及び加圧された花粉体保存溶液１２の圧力は、花粉体保存溶液１２に含まれる花粉体の種類や花粉体保存溶液１２の成分による例えば発芽率に関係する花粉体の損傷の程度や液垂れを生じない噴霧の具合により上述した範囲内で選択される。
【００５３】
従って、この実施形態に従った花粉体噴霧器５０は、図１乃至図３を参照しながら前述した第１実施形態の花粉体噴霧器１０と同じ技術的な利点を得ることが出来る。
【００５４】
［第４実施形態］
次に図７を参照してこの発明の第４実施形態に従った花粉体噴霧器６０について説明する。第４実施形態に従った花粉体噴霧器６０において図１乃至図３を参照しながら前述したこの発明の第１実施形態に従った花粉体噴霧器１０の構成部材と同じ構成部材及び図６を参照しながら前述したこの発明の第３実施形態に従った花粉体噴霧器５０の構成部材と同じ構成部材には同じ参照符号を付して詳細な説明は省略する。
【００５５】
この実施形態の花粉体噴霧器６０が第３実施形態の花粉体噴霧器５０と異なっているのは、手動操作加圧構造体１６が収容空間１４´ａに花粉体保存溶液１２を収容している容器１４´の開口１４´ｂに着脱可能に取り付けられておらず、容器１４´の開口１４´ｂを介して吸引菅１８´が長く延出している。そして、この吸引菅１８´の外端に手動操作加圧構造体１６が接続されている。容器１４´には花粉体噴霧器６０の使用者の肩に掛けられるショルダーストラップ１４´ｃが取り付けられており、吸引菅１８´は柔軟であり、従って手動操作加圧構造体１６を手によって保持した前記使用者が吸引菅１８´の長さの範囲内で手動操作加圧構造体１６を任意に移動させることが出来る。
【００５６】
この実施形態でも、ノズル孔２８（図５参照）において前述した如く直径が変化しない部位の直径Ｄが１．０ｍｍ〜１．４ｍｍの範囲内に設定されているとともに、加圧された花粉体保存溶液１２の圧力が０．２Ｍｐａ〜０．１ＭＰａの範囲内に設定されている。直径Ｄの範囲を１．２ｍｍ〜１．４ｍｍの範囲内とし、加圧された花粉体保存溶液１２の圧力を０．１５Ｍｐａ〜０．１ＭＰａの範囲内に設定することも出来る。詳細には、直径Ｄが１．０ｍｍ，１．２ｍｍ，そして１．４ｍｍの場合には、加圧された花粉体保存溶液１２の圧力が０．２Ｍｐａ，０．１５Ｍｐａ，そして０．１ＭＰａとなるよう設定されている。これらの直径Ｄ及び加圧された花粉体保存溶液１２の圧力は、花粉体保存溶液１２に含まれる花粉体の種類や花粉体保存溶液１２の成分による例えば発芽率に関係する花粉体の損傷の程度や液垂れを生じない噴霧の具合により上述した範囲内で選択される。
【００５７】
従って、この実施形態に従った花粉体噴霧器６０も、図１乃至図３を参照しながら前述した第１実施形態の花粉体噴霧器１０と同じ技術的な利点を得ることが出来る。
【００５８】
なお、この実施形態においては手動操作加圧構造体１６とノズル構造体３０との間に、ノズル構造体３０の側の部位（延出端部位）がノズル構造体３０の側の部位（延出端部位）以外の部位（中間部位及び基端部位）に対し所定の角度で傾斜している延出管５２が介在されているが、この延出菅５２及びノズル構造体３０の組み合わせに代わり、図４中に図示されている如き延出端部位がノズル構造体３０のノズル基部３４´を提供している延出菅４２とノズル構造体３０との組み合わせを使用することが出来るし、図１乃至図３中に示されている如き延出管が介在されてない手動操作加圧構造体１６とノズル構造体３０との組み合わせを使用することも出来る。
【符号の説明】
【００５９】
１０…花粉体噴霧器、１２…花粉体保存溶液、１４…容器、１４ａ…収容空間、１４ｂ…開口、１６…手動操作加圧構造体、１６ａ…ノズル逆止弁収容凹所、１８…吸引管、１８ａ…内端、１８ｂ…外端、２０…手動レバー、２２…加圧ポンプ、２２ａ…付勢部材、２４…逆止弁、２６…ノズル逆止弁、２８…ノズル孔、３０…ノズル構造体、３２…付勢部材、３４…ノズル基部、３４ａ…有底流入孔、３４ｂ…半径方向案内孔、３４ｃ…第１有底円形凹所、３４ｄ…第２有底円形凹所、３４ｅ…接線溝、３４ｆ…取り囲み部分、３６…ノズルキャップ、３８…密封部材、Ｇ…花粉体保存溶液流通隙間、Ｄ…（ノズル孔の）直径、
４０…花粉体噴霧器、４２…延出管、４４…逆止弁収容体、４６…密封部材、３４´…ノズル基部、
５０…花粉体噴霧器、５２…延出管、５２ａ…鞘部、５２ｂ…芯部、５２ｃ…ノズル基部収容凹所、３４´…ノズル基部、
６０…花粉体噴霧器、１４´…容器、１４´ａ…収容空間、１４´ｂ…開口、１４´ｃ…ショルダーストラップ、１８´…吸引菅、１８´ａ…内端。
【図１】
2012157817.tif 000003
【図２】
2012157817.tif 000004
【図３】
2012157817.tif 000005
【図４】
2012157817.tif 000006
【図５】
2012157817.tif 000007
【図６】
2012157817.tif 000008
【図７】
2012157817.tif 000009